【手続補正書】
【提出日】平成22年11月24日(2010.11.24)
【手続補正１】
【補正対象書類名】特許請求の範囲
【補正対象項目名】全文
【補正方法】変更
【補正の内容】
【特許請求の範囲】
【請求項１】
アンテナ・アレイの偏波制御システムであって：
全体的に水平方向の偏波を有するフレア・ノッチ・アンテナ素子を有する複数の第１のアンテナ素子；
全体的に垂直方向の偏波を有する単極アンテナ素子を有する複数の第２のアンテナ素子；及び
複数の第１及び第２のアンテナ素子と結合されたビーム形成回路；
を有し、
前記垂直方向の偏波は前記水平方向の偏波と実質的に垂直であり、前記複数の第１及び第２の素子は全体的に平面に隣接して配置され、前記第１及び第２の素子は、前記複数の第１及び第２の素子の中央領域から外縁へ漸減する所定の振幅重み付け係数を有し、
前記ビーム形成回路は：
前記複数の第１のアンテナ素子の第１のサブセットの振幅だけを減衰し；及び
前記複数の第２のアンテナ素子の第２のサブセットの位相をシフトし；
前記振幅は、オフ又はオンのいずれかである、
ことを特徴とする偏波制御システム。
【請求項２】
前記位相は少なくとも４５度だけ増加して変化する、請求項１記載の偏波制御システム。
【請求項３】
アンテナ・アレイの偏波制御システムであって：
全体的に水平方向の偏波を有するフレア・ノッチ・アンテナ素子を有する複数の第１のアンテナ素子；
全体的に垂直方向の偏波を有する単極アンテナ素子を有する複数の第２のアンテナ素子；及び
複数の第１及び第２のアンテナ素子と結合されたビーム形成回路；
を有し、
前記垂直方向の偏波は前記水平方向の偏波と実質的に垂直であり、前記複数の第１及び第２の素子は全体的に平面に隣接して配置され、前記第１及び第２の素子は、前記複数の第１及び第２の素子の中央領域から外縁へ漸減する所定の振幅重み付け係数を有し、
前記ビーム形成回路は：
前記複数の第１のアンテナ素子の第１のサブセットの振幅だけを減衰し；及び
前記複数の第２のアンテナ素子の第２のサブセットの位相をシフトし；
前記位相は、少なくとも４５度だけ増加して変化する、
ことを特徴とする偏波制御システム。
【請求項４】
前記振幅は、オフ又はオンのいずれかである、請求項１記載の偏波制御システム。
【請求項５】
アンテナ・アレイの偏波制御システムであって：
第１の偏波方向を有する複数の第１のアンテナ素子；
前記第１の偏波方向と異なる第２の偏波方向を有する複数の第２のアンテナ素子；及び
前記複数の第１及び第２のアンテナ素子と結合されたビーム形成回路；を有し、
前記ビーム形成回路は：
前記他の複数の第１のアンテナ素子に供給される第１の信号と異なる第２の信号を、前記複数の第１のアンテナ素子の第１のサブセットに供給し；及び
前記他の複数の第２のアンテナ素子に供給される前記第１の信号と異なる第３の信号を前記複数の第２のアンテナ素子の第２のサブセットに供給する、偏波制御システム。
【請求項６】
前記第２又は第３の信号は、前記第１の信号と振幅が異なる、請求項５記載の偏波制御システム。
【請求項７】
前記第２又は第３の信号は、前記第１の信号と基本的に振幅だけが異なる、請求項６記載の偏波制御システム。
【請求項８】
前記第２又は第３の信号の振幅は、オフ又はオンのいずれかである、請求項６記載の偏波制御システム。
【請求項９】
前記第２又は第３の信号の振幅は、３ビットの分解能より小さく又はそれと等しく変化する、請求項６記載の偏波制御システム。
【請求項１０】
前記第２又は第３の信号は、前記第１の信号と位相が異なる、請求項５記載の偏波制御システム。
【請求項１１】
前記第２又は第３の信号は、前記第１の信号と位相だけが異なる、請求項１０記載の偏波制御システム。
【請求項１２】
前記第２又は第３の信号の位相は、少なくとも４５度だけ増加して変化する、請求項１０記載の偏波制御システム。
【請求項１３】
前記第１の偏波方向は、前記第２の偏波方向と直交する、請求項５記載の偏波制御システム。
【請求項１４】
前記複数の第１又は第２のアンテナ素子は、単極放射体である、請求項５記載の偏波制御システム。
【請求項１５】
前記複数の第１又は第２のアンテナ素子は、フレア・ノッチ放射体である、請求項５記載の偏波制御システム。
【請求項１６】
前記複数の第１及び第２の素子は、全体的に平面に隣接して配置され、前記第１及び第２の素子は、前記複数の第１及び第２の素子の中央領域から外縁へ漸減する所定の振幅重み付け係数を有する、請求項５記載の偏波制御システム。
【請求項１７】
アンテナ・アレイのビーム偏波を調整する段階；
を有し、
該アンテナ・アレイのビーム偏波を調整する段階は：
第１の偏波方向を有する複数の第１のアンテナ素子と、前記第１の偏波方向と異なる第２の偏波方向を有する複数の第２のアンテナ素子とを設ける段階；
前記複数の第１のアンテナ素子の第１のサブセットの振幅を調整することにより、前記複数の第１のアンテナ素子により生成される電磁波の振幅を減衰する段階；及び
前記複数の第２のアンテナ素子の第２のサブセットの前記位相シフトを調整することにより、前記複数の第１及び第２のアンテナ素子により、前記ビーム偏波を全体的に近似する電磁波を生成する段階；
を有する、
ことを特徴とする方法。
【請求項１８】
前記複数の第１及び第２のアンテナ素子により、前記ビーム偏波を全体的に近似する電磁波を生成する段階は、前記複数の第１及び第２のアンテナ素子により、円偏波された電磁波を全体的に近似する電磁波を生成する段階を有する、
ことを特徴とする請求項１７に記載の方法。
【請求項１９】
前記複数の第１及び第２のアンテナ素子を設ける段階は：
全体的に平面に隣接して配置された複数の第１及び第２のアンテナ素子を設ける段階；及び
前記複数の第１及び第２のアンテナ素子の中央領域から最外領域へと前記信号の振幅を漸減する段階；
を有する、
ことを特徴とする請求項１７に記載の方法。
【請求項２０】
前記複数の第１のアンテナ素子の前記第１のサブセットの位相を、比較的一定のレベルに維持する段階、を更に有する請求項１７記載の方法。
【請求項２１】
前記複数の第２のアンテナ素子の前記第２のサブセットの振幅を、比較的一定のレベルに維持する段階、を更に有する請求項１７記載の方法。
【請求項２２】
アンテナ・アレイのビーム偏波を調整する方法であって
第１の偏波方向を有する複数の第１のアンテナ素子と、前記第１の偏波方向と異なる第２の偏波方向を有する複数の第２のアンテナ素子とを設ける段階；
前記複数の第１のアンテナ素子の第１のサブセットの振幅を調整することにより、前記複数の第１のアンテナ素子により生成される電磁波の振幅を減衰する段階；及び
前記複数の第２のアンテナ素子の第２のサブセットの前記位相シフトを調整することにより、前記複数の第１及び第２のアンテナ素子により、前記ビーム偏波を全体的に近似する電磁波を生成する段階；及び
前記複数の第１のアンテナ素子の前記第１のサブセットの位相を、比較的一定のレベルに維持する段階；
を有する方法。
【請求項２３】
アンテナ・アレイのビーム偏波を調整する方法であって
第１の偏波方向を有する複数の第１のアンテナ素子と、前記第１の偏波方向と異なる第２の偏波方向を有する複数の第２のアンテナ素子とを設ける段階；
前記複数の第１のアンテナ素子の第１のサブセットの振幅を調整することにより、前記複数の第１のアンテナ素子により生成される電磁波の振幅を減衰する段階；及び
前記複数の第２のアンテナ素子の第２のサブセットの前記位相シフトを調整することにより、前記複数の第１及び第２のアンテナ素子により、前記ビーム偏波を全体的に近似する電磁波を生成する段階；及び
前記複数の第２のアンテナ素子の前記第２のサブセットの振幅を、比較的一定のレベルに維持する段階；
を有する方法。